(57)【要約】【課題】本発明は、模型化された実物の音声等を再生する模型の音声再生システムに関し、低コストで、音声再生のための複雑な操作を行なうことなく、臨場感溢れる多様な音声を適切に発生する。【解決手段】模型化された実物の音声を、Ｂｌｕｅｔｏｏｔｈ機能を備えた端末のシステム側で記憶しておき、その音声をＢｌｕｅｔｏｏｔｈの無線信号により模型側の音声発生装置に送ることで、模型の状況に応じた実動作音やギミック音を複数重ねて同時に再生する。【選択図】図１
2012088672.tif 000002
【特許請求の範囲】
【請求項１】
Ｂｌｕｅｔｏｏｔｈ（登録商標）機能を備えた端末とＢｌｕｅｔｏｏｔｈの無線信号から音声の受信ができる音声発生装置を組み込むことができる物体に、音声を発生することができる音声再生システム。
【請求項２】
請求項１記載の音声は、Ｂｌｕｅｔｏｏｔｈ機能を備えた端末の音声再生システムで制御し、任意のボタン（ソフトキーを含む）に割り当てるため、音声の種類はＢｌｕｅｔｏｏｔｈ機能を備えた端末にあるものを無限大に活用できる音声再生システム。
【請求項３】
動作時に音声が可変する音源については、音声発音装置を組み込むことができる物体の動作に応じて音声再生システム側で音源の可変再生をすることを特徴とする請求項１記載の模型の音声再生システム。
【請求項４】
模型化された実物の音声を、音声再生システムを導入した端末側の記憶媒体に保存憶しておき、模型の状況に応じた実動作音やギミック音を複数同時に発音させ、かつ模型の状況に応じた再生音量の再現できる音声再生システム。
【請求項５】
音源の拡張は、インターネットサイトからパッケージとして音声データをダウンロードすることを特徴する音声再生システム。
【請求項６】
前記音源の拡張手段は、使用者が独自に収録させた音源を簡単に音声ファイルとして登録することができることを特徴とする音声再生システム。
【請求項７】
音声再生の安定化を図るため、電源を独自の蓄電池から供給することを特徴とする音声発音装置。
【請求項８】
Ｂｌｕｅｔｏｏｔｈを使用した無線信号で音声の受信をする特性により、同一環境で複数使用することを特徴とする音声再生システム及び音声発生装置。
【請求項９】
音源を音声発生装置側に記憶させないため、音声発生装置を汎用的に様々な模型に搭載することができる音声再生システム及び音声発生装置。
【発明の詳細な説明】
【技術分野】
【０００１】    本発明は、模型の音声再生システムと音声発音装置に関する。
【背景技術】
【０００２】    模型にも様々なタイプのものが存在し、模型をただ単に動かすだけのものもあるが、模型の動力を制御する制御装置を備えたものもあり（例えば特開平６−３９１４８号公報参照）、さらには、模型の動力を制御するだけでなく、効果音を発生する機能を備えたものもある（例えば特公昭５１−５６８２号公報参照）。効果音を発生させると臨場感を高めることができる。【０００３】    効果音を発生する装置としては、従来、模型を作動する電流の増減方向によって模型の加速、定速、あるいは減速という３つの動力状態を検出し、検出された動力状態に応じて動作音を発生する装置や、様々な効果音を発生するボタンを備え、ボタンを押すとその押したボタンに応じた効果音を発生する装置などが知られている。【０００４】    従来、模型の効果音発生装置としては、例えば特許文献に開示されているようなものがある。この効果音発生装置では、模型化された実物の動作音、ギミック音に関する効果音等がＲＯＭに音声データとして記憶されている。模型の動作状態を制御するマスターコントローラの操作状態に応じた速度で、ＲＯＭの音声データを音声再生ＬＳＩが読み出し、Ｄ／Ａ変換器でアナログ信号に変換して、スピーカに供給する。なお、特許文献には開示されていないが、音声データとしては、模型化された物の実動作音等を録音したものを使用する。【０００５】
【特許文献】    特開２００３−９３７５４号公報
【発明の概要】
【発明が解決しようとする課題】
【０００６】    しかしながら、上記従来音声発生装置は、限定された模型にその模型化された実物の音声を記憶させ、音声を再生する装置であり、容易に別の模型に音声発生装置を載せ替えて使うことができない。【０００７】    また、音源を音声発生装置に記録させるため、使用する音源を制限してしまい、模型化された物の実動作音を再生するには臨場感を損なうことになる。【０００８】    電源は、模型を動作させるための電源より共用として給電を行うため、稼動させるモーターや給電装置により音声の発音に影響を与えやすく、適切な音声を発音することができない。【０００９】    また、動作のモーターや給電装置の影響により、一時的もしくは瞬間的に電源を失うことにより、音声再生装置に再起動がかかるため、音声がその都度最初から再生されてしまい、模型化された物の実動作音を再生するには臨場感を損なうことになる。【００１０】    本発明は上記事情に鑑みて成されたものであり、音声発生のための複雑な操作を行なうことなく、臨場感溢れる多様な模型化された実物の音声を適切に発生することのできる模型の音声再生システムと音声発音装置を提供することを目的とする。
【課題を解決するための手段】
【００１１】    本発明は、上記課題を解決するため、以下の手段を採用する。
本発明に係る模型の音声再生システム及び音声発音装置は、模型化された実物の音声を、音声再生システムを導入した端末側の記憶媒体に保存しておき、模型の状況に応じた実動作音やギミック音を複数同時に発音させ、かつ模型の状況に応じた再生音量のコントロールができ、動作時に音声が可変する音源については、模型の動作に応じて音声再生システム側で音源の可変再生をすることができる。【００１２】    また、音源はＢｌｕｅｔｏｏｔｈ機能を備えた端末に導入するシステムで制御し、任意のボタン（ソフトキーを含む）に割り当てるため、音声の種類はＢｌｕｅｔｏｏｔｈ機能を備えた端末にあるものを無限大に活用でき、音声の拡張は、インターネットサイトからパッケージとして音声データをダウンロードすることができ、あるいは使用者が独自に記憶させた音源を簡単に音声ファイルとして登録することができ、かつ音声発生装置側に記憶させないため、音声発生装置を汎用的に様々な模型に搭載することと、Ｂｌｕｅｔｏｏｔｈを使用する無線信号から音声の受信をする特性により、同一環境で複数台を同時に使用することができる。【００１３】    本発明に係る模型の音声発音装置の電源は、音声発生の安定化を図るため、独自の蓄電池を装置に取り付け、電源を供給することを特徴とし、かつ蓄電池への充電は外部の充電機器と接続できる端子を装備することにより、簡単に充電することができる。【００１４】    本発明に係る模型の音声再生システム及び音声発音装置は、既にＢｌｕｅｔｏｏｔｈの無線信号を使用する端末（例えば、パソコン端末、携帯電話端末）の普及により、容易に準備することができ、かつ無線信号を受信する音声発生装置を最大限縮小（例えばＷ１４ｍｍ×Ｈ５２ｍｍ×Ｄ５ｍｍ）することができる。
【発明の効果】
【００１５】    以上のように、本発明によれば、低コストで、容易に、様々な模型化されたものに実物の音声を再現することができる。
【発明を実施するための最良の形態】
【００１６】    本発明に係る一実施形態について、図１及び図２を参照して説明する。
本実施形態に係る模型の音声再生システム及び音声発音装置は、模型に設けられ、図１に示すように、音声発音装置（少なくとも、Ｂｌｕｅｔｏｏｔｈの音声受信モジュール、スピーカ、蓄電池）が模型の音声再生手段と、図２に示すような音声再生システムを導入した、Ｂｌｕｅｔｏｏｔｈ機能を備えた端末を操作するより実現することができる。【００１７】    Ｂｌｕｅｔｏｏｔｈ機能を備えた端末から音声再生システムの操作方法について具体的に説明をする。この方法は、図２に示すように、端末に導入する再生コントロールアプリケーションによって制御される。【００１８】    上記の実施形態は、図２に示すように、パソコン端末は「Ｗｉｎｄｏｗｓ  ＯＳ（登録商標）」による音声再生システム、携帯電話端末は機種に応じた「ｉ  ＯＳ（登録商標）」、「Ａｎｄｒｏｉｄ  ＯＳ（登録商標）」、「Ｗｉｎｄｏｗｓ  ｍｏｂｉｌｅ  ＯＳ（登録商標）」に導入できる音声再生システムとする。すなわち、音声発音装置は、音声再生システムで再生された音声を、Ｂｌｕｅｔｏｏｔｈの無線信号で送信された音声を受信することで音声を発生する。【００１９】    上記の実施形態は、Ｂｌｕｅｔｏｏｔｈ機能を備えた端末と音声発音装置の間の初期設定において、利用する周波数をランダムに変える周波数ホッピングを行うことで、Ｂｌｕｅｔｏｏｔｈ機能を備えた端末と音声発音装置はペアリングされる。さらに、特定の空間で音声再生システム及び音声発音装置を使用する場合にも、利用する周波数をランダムに変える周波数ホッピングを行うことで、Ｂｌｕｅｔｏｏｔｈ機能を備えた端末と音声発音装置はペアリングにより電波が混線することがなく、複数台同時に使用することができる。【００２０】    上記の実施形態は、導入された音声再生システムを起動させ、あらかじめ端末に保存されている音声ファイルを、任意のボタン（ソフトキーを含む）に割り当て操作することで、音声再生システムで再生された音声をＢｌｕｅｔｏｏｔｈで送信し、音声発音装置で音声を発生する。すなわち、音声の再生はあくまでもＢｌｕｅｔｏｏｔｈ機能を備えた端末側で実施するため、音声量の増減や音声再生速度の加減は、全て音声再生システムで制御される。【００２１】    上記の実施形態は、音声ファイルは任意のシステムから様々な音声をパッケージとしてダウンロードすることがきる。さらに、顧客が独自に録音した音源も音声再生システムが指定する音声ファイル形式に変換することで、音声再生システムに割り当てることができる。【００２２】    上記の実施形態は、任意の音声を割り当てた複数のボタン（ソフトキーを含む）の操作により、同時に再生することができる。【００２３】    この発明によれば、音声を容易に模型で楽しむことができ、模型メーカーにとっても顧客にとっても、模型の価値を高めることができる。【００２４】    なお、本発明の技術範囲は上記実施の形態に限定されるものではなく、本発明の趣旨を逸脱しない範囲において種々の変更を加えることが可能である。
【産業上の利用可能性】
【００２５】    これまで模型や玩具における音声は、内蔵されたシステムに音声ファイルを持たせることで汎用性にかけていたが、音声ファイルを制御する端末側に持たせることにより、再生する音声の領域が広がり、模型や玩具を利用する顧客に汎用性と簡易性を高めることができる。
【図面の簡単な説明】
【００２６】
【図１】本発明の一実施形態に係る音声再生システムを示す構成図と音声発音装置の構成図である。
【図２】本発明の一実施形態に係る音声再生システムの動作を示すフローチャート図である。
【図１】
2012088672.tif 000003
【図２】
2012088672.tif 000004